(57)【要約】【課題】排泄物から生じる臭いのマスキングが可能であり、且つ肌トラブルの抑制が可能な吸収性物品を提供すること。【解決手段】本発明の吸収性物品は、液保持性の吸収性コアを備え、該吸収性コアにおける肌対向面に、又は該肌対向面よりも着用者の体に近い側に位置するいずれかの部材に、リパーゼ活性阻害効果及び菌活性阻害効果を有する香料を施している。香料が施される部材が、液透過性の表面シート及び吸収性コアの少なくとも肌対向面側を覆うコアラップシートのうち少なくとも一方であることが好適である。香料は、水分存在下で揮発性が高まるものであることも好適である。香料は、ローズケトン類、炭素数１０以上１２以下のγ‐ラクトン、及び炭素数９以上１２以下のδ‐ラクトンのうち少なくとも１種を含むことも好適である。本発明の吸収性物品は生理用ナプキンであることも好適である。【選択図】なし【特許請求の範囲】
【請求項１】
液保持性の吸収性コアを備え、該吸収性コアにおける肌対向面に、又は該肌対向面よりも着用者の体に近い側に位置するいずれかの部材に、リパーゼ活性阻害効果及び菌活性阻害効果を有する香料を施した吸収性物品。
【請求項２】
前記部材が、液透過性の表面シート及び前記吸収性コアの少なくとも前記肌対向面側を覆うコアラップシートのうち少なくとも一方である、請求項１に記載の吸収性物品。
【請求項３】
前記香料は水分存在下で揮発性が高まるものである、請求項１又は２に記載の吸収性物品。
【請求項４】
前記香料は、ローズケトン類、炭素数１０以上１２以下のγ‐ラクトン、及び炭素数９以上１２以下のδ‐ラクトンのうち少なくとも１種を含む、請求項３に記載の吸収性物品。
【請求項５】
前記δ‐ラクトンが、６−（３−ペンテニル）テトラヒドロ［２Ｈ］ピラン−２−オンである、請求項４に記載の吸収性物品。
【請求項６】
生理用ナプキンである、請求項１ないし５のいずれか一項に記載の吸収性物品。
【発明の詳細な説明】
【技術分野】
【０００１】
本発明は、吸収性物品に関する。
【背景技術】
【０００２】
使い捨ておむつや生理用ナプキン等の吸収性物品は、その着用中に皮膚にかぶれが生じることがある。このような肌トラブルは、排泄物（尿、軟便、経血、汗等）中に含まれる水分に起因した蒸れや、皮膚と吸収性物品の構成部材とのこすれ等の刺激、皮膚の常在菌が分泌する酵素による刺激によって引き起こされることが知られている。このような肌トラブルを抑制すべく、特許文献１には、肌トラブルの発生に関わる細菌類に対する抗菌作用及び酵素類に対する阻害作用を併せ持つ植物抽出物由来のかぶれ防止剤を吸収性物品に用いることが記載されている。
【先行技術文献】
【特許文献】
【０００３】
【特許文献１】特開２００５−２００８号公報
【発明の概要】
【発明が解決しようとする課題】
【０００４】
しかし、特許文献１に記載のかぶれ防止剤は、植物抽出物由来のものであるので、抽出条件や、該吸収性物品への含浸方法によっては、かぶれ防止効果を十分に発揮することができなかった。また、特許文献１に記載のかぶれ防止剤を吸収性物品に含浸させた場合、植物抽出物が有する色や香りによって、吸収性物品を構成する基材が着色されて該物品の外観が損なわれたり、吸収性物品の着用状態において排泄物由来の臭いが知覚されたりする可能性があった。
【０００５】
したがって、本発明の課題は、従来技術の欠点を解決する吸収性物品を提供することにある。
【課題を解決するための手段】
【０００６】
本発明は、液保持性の吸収性コアを備え、該吸収性コアにおける肌対向面又は該肌対向面よりも着用者の体に近い側に位置するいずれかの部材に、リパーゼ活性阻害効果及び菌活性阻害効果を有する香料を施した吸収性物品を提供するものである。
【発明の効果】
【０００７】
本発明によれば、排泄物から生じる臭いのマスキングが可能であり、且つ肌トラブルの抑制が可能な吸収性物品を提供できる。
【図面の簡単な説明】
【０００８】
【図１】図１（ａ）ないし（ｃ）は、吸収性物品の装着の有無における皮膚表面の水分量変化、ｐＨ変化及びリパーゼ活性変化を示すグラフである。
【図２】図２（ａ）及び（ｂ）は、皮脂存在下でのリパーゼ活性阻害効果及び菌活性阻害効果を示すグラフである。
【図３】図３は、ジャスモラクトンのリパーゼ活性阻害効果を示すグラフである。
【発明を実施するための形態】
【０００９】
以下本発明を、その好ましい実施形態に基づき説明する。本発明の吸収性物品は一般に、着用者の腹側から股間部を介して背側に延びる方向に相当する長手方向とこれに直交する幅方向とを有する縦長の形状をしている。そして吸収性物品は、着用者の股間部に配される股下部並びにその前後に延在する腹側部及び背側部を有する。股下部は、吸収性物品の着用時に着用者の排泄部に対向配置される排泄部対向部を有しており、該排泄部対向部は通常、吸収性物品の長手方向の中央部又はその近傍に位置している。
【００１０】
吸収性物品は一般に、着用者の肌対向面側に位置する表面シートと、非肌対向面側に位置する裏面シートと、両シート間に介在配置された吸収体とを備える。表面シートとしては、液透過性を有するシート、例えば不織布や穿孔フィルムなどを用いることができる。表面シートは、その肌対向面側が凹凸形状になっていてもよい。例えば表面シートの肌対向面側に、散点状に複数の凸部を形成することができる。あるいは、表面シートの肌対向面側に、一方向に延びる畝部と溝部とを交互に形成することができる。そのような目的のために、２枚以上の不織布を用いて表面シートを形成することもできる。
【００１１】
一方、裏面シートとしては、例えば液難透過性のフィルムやスパンボンド・メルトブローン・スパンボンド積層不織布などを用いることができる。液難透過性のフィルムに、複数の微細孔を設け、該フィルムに水蒸気透過性を付与してもよい。吸収性物品の肌触り等を一層良好にする目的で、裏面シートの外面に不織布等の風合いの良好なシートを積層してもよい。
【００１２】
吸収体は、液保持性の吸収性コアを備えている。吸収性コアは例えばパルプを初めとするセルロース等の親水性繊維の積繊体、該親水性繊維と吸収性ポリマーとの混合積繊体、吸収性ポリマーの堆積体、２枚の吸収性シート間に吸収性ポリマーが担持された積層構造体などから構成される。吸収性コアは、少なくともその肌対向面が液透過性のコアラップシートで覆われていてもよく、肌対向面及び非肌対向面を含む表面の全域がコアラップシートで覆われていてもよい。コアラップシートとしては、例えば親水性繊維からなる薄葉紙や、液透過性を有する不織布などを用いることができる。
【００１３】
上述の表面シート、裏面シート及び吸収体に加え、吸収性物品の具体的な用途に応じ、肌対向面側の長手方向に沿う両側部に、長手方向に沿って延びる防漏カフが配される場合がある。防漏カフは一般に、基端部と自由端とを備えている。防漏カフは、吸収性物品の肌対向面側に基端部を有し、肌対向面側から起立している。防漏カフは、液抵抗性ないし撥水性で且つ通気性の素材から構成されている。防漏カフの自由端又はその近傍には、糸ゴム等からなる弾性部材を伸長状態で配してもよい。吸収性物品の着用状態においてこの弾性部材が収縮することによって、防漏カフが着用者の身体に向けて起立するようになり、表面シート上に排泄された液が、表面シート上を伝い吸収性物品の幅方向外方へ漏れ出すことが効果的に阻止される。
【００１４】
吸収性物品は更に、非肌対向面の表面に粘着剤層を有していてもよい。粘着剤層は、吸収性物品の着用状態において、該吸収性物品を、下着や別の吸収性物品に固定するために用いられる。
【００１５】
本発明の吸収性物品は、香料を含んでいる。香料は、その香気成分が大気圧下で大気中に揮散するものであれば良く、常温常圧の環境下でその香気を知覚し得るものであることが好ましい。このような香料を用いることによって、尿や経血等の排泄物に起因する不快な臭いを香料の香気によってマスキングすることができる。
【００１６】
ところで、吸収性物品を長期間着用する場合、該吸収性物品の構成部材が着用者の肌に直接接触していることに起因して、かぶれ等の肌トラブルが生じることがある。このような肌トラブルは、排泄物の水分に起因した蒸れや、皮膚と吸収性物品の構成部材とのこすれ等の刺激、皮膚常在菌の酵素によって産生された成分による刺激等によって起こることが知られている。
【００１７】
肌トラブルの発生機序としては、以下の機序が考えられている。蒸れやこすれ等によって皮膚表面のバリア機能が低下し、皮膚の物質透過性が亢進する。物質透過性が亢進した皮膚に尿や経血等の排泄物が付着すると、排泄物中に含まれる水分や有機物によって、マラセチア属菌などの皮膚常在菌が増殖するとともに、皮膚表面のｐＨが上昇する。常在菌の増殖及び肌のｐＨ上昇に伴って、皮膚常在菌が産生する脂質分解酵素（リパーゼ）等の酵素活性が上昇する。酵素活性が上昇することによって、皮脂が分解され、脂肪酸が遊離する。この遊離脂肪酸は物質透過性が亢進した皮膚を刺激して、炎症を起こす。その結果、かぶれ等の肌トラブルが発生する。
【００１８】
以上のとおり吸収性物品には、排泄物に起因する不快な臭いへの対策や、肌トラブル防止の対策が要求される。これらの対策のためには、上述した香料を吸収性物品を含有させたり、肌トラブルを抑制し得る薬剤を吸収性物品に含有させることが考えられる。しかし、香料や薬剤を別個に吸収性物品に含有させることは工業的観点や経済的観点から有利とはいえない。そこで、発明者が鋭意検討したところ、吸収性物品にリパーゼ活性阻害効果及び菌活性阻害効果を有する香料を含有させることによって、香料の一般的な目的である、香料の香気による排泄物由来の臭いのマスキング効果に加えて、皮膚のかぶれ等の肌トラブルの発生菌の活性阻害効果、及びリパーゼ等の酵素活性阻害効果が奏されることを見出した。これらの効果は、本発明に用いられる香料を使用すれば、例えば抗菌剤や抗炎症剤などの他の薬剤を含有させることなく十分に奏されることも見出した。
【００１９】
本発明におけるリパーゼ活性阻害効果とは、マラセチア属菌が産生する脂質分解酵素（リパーゼ）の活性を阻害する効果を少なくとも有することである。また、菌活性阻害効果とは、マラセチア属菌の増殖を抑制する効果を少なくとも有することである。マラセチア（Malassezia）属菌としては、例えばMalassezia furfur、Malassezia globosa、Malassezia restricta、Malassezia sympodialis等が挙げられるが、これらに限られない。リパーゼ活性阻害効果及び菌活性阻害効果は、例えば特開２０１３−２４９２９３号公報の方法に従って測定することができる。同文献の記載の方法に従い測定されたリパーゼ活性阻害率が５０％以上であり、且つ増殖阻害率が５０％以上である場合に、リパーゼ活性阻害活性及び菌阻害活性効果を有すると判断する。
【００２０】
本発明に用いられている香料によって、排泄物に起因する不快な臭いのマスキングや、肌トラブルを抑制できる機序としては、以下の機序が考えられている。本発明の吸収性物品に施されている香料が揮散し、香気成分が使用者に知覚されるとともに、該香料の成分が吸収性物品の着用部位近傍の皮膚表面に直接付着する。香料は、リパーゼ活性阻害効果及び菌活性阻害効果を有しているので、皮膚表面に存在する皮膚常在菌が産生するリパーゼ活性を抑制し、遊離脂肪酸の産生を抑制するとともに、菌自体の増殖を抑制する。その結果、排泄物に起因する不快な臭いをマスキングするとともに、肌トラブルを抑制することができる
【００２１】
特に吸収性物品は、尿や経血等の水分の多い排泄物を吸収保持することを目的とするところ、排泄物が吸収保持された状態でも十分に香料を揮散させて、排泄物の臭いのマスキングと肌トラブルの抑制とを両立する観点から、本発明に用いられる香料は、その成分が大気圧下で大気中に揮散するものであることを条件として、水分存在下で揮発性が高まるものであることが好ましい。「水分存在下で揮発性が高まる」とは、カットした吸収性物品に評価対象の香料成分を滴下し、その後更に疑血を注入したものを「水分存在下」のサンプルとし、カットした吸収性物品に評価対象の香料成分を滴下したものを「水分非存在下（乾燥時）」のサンプルとして、これらのサンプルの香料の揮発性を測定したときに、水分非存在下（乾燥時）において測定したときよりもサンプルに残存する香料成分が低くなることをいう。
【００２２】
上述の観点から、本発明において用いることのできる香料としては、例えばローズケトン類、炭素数１０以上１２以下のγ‐ラクトン、及び炭素数９以上１２以下のδ‐ラクトンなどが挙げられる。ローズケトン類としては、例えば、ダマセノン、α‐ダマスコン、β‐ダマスコン、γ‐ダマスコン、δ‐ダマスコン、イソダマスコン、α‐イオノン、β‐イオノン、α‐アリルイオノン、ジヒドロ‐β‐イオノン、ダイナスコン等が挙げられる。炭素数１０以上１２以下のγ‐ラクトンとしては、例えばγ‐デカノラクトン、γ‐ウンデカノラクトン、γ‐ドデカノラクトン等が挙げられる。炭素数９以上１２以下のδ‐ラクトンとしては、例えばδ‐ノナラクトン、δ‐デカノラクトン、δ‐ウンデカノラクトン、６−（３−ペンテニル）テトラヒドロ［２Ｈ］ピラン−２−オン（以下、ジャスモラクトンともいう。）等が挙げられる。これらは単独で又は２種以上を組み合わせて用いることができる。
【００２３】
排泄物の臭いのマスキングと肌トラブルの抑制とを両立する観点から、本発明の吸収性物品に含まれる香料として、炭素数１０以上１２以下のδ‐ラクトンを少なくとも用いることが好ましい。特に、排泄物の臭いをマスキングするとともに、肌トラブルの抑制効果を一層発現させる観点から、炭素数１０以上１２以下のδ‐ラクトンは、６−（３−ペンテニル）テトラヒドロ［２Ｈ］ピラン−２−オン（ジャスモラクトン）であることが一層好ましい。
【００２４】
本発明の吸収性物品において、該吸収性物品から揮発した香料を皮膚に直接付着させて肌トラブルを効果的に抑制する観点から、香料は、吸収性コアにおける肌対向面に施されているか、又は該肌対向面よりも着用者の体に近い側に位置するいずれかの部材に施されていることが好ましく、液透過性の表面シート及び吸収性コアの少なくとも肌対向面側を覆うコアラップシートのうちの少なくとも一方に施されていることが一層好ましい。表面シートと吸収体との間に配されるサブレイヤーシートに施されていることも好ましい。防漏カフにおける肌当接面に施されていることも好ましい。香料は、排泄部の対向領域のみに施されていてもよく、排泄部の対向領域に加えて、腹側部及び又は背側部に更に施されていてもよい。また、香料の塗布パターンは、塗布対象の部材の全面に施されていてもよく（いわゆるベタ塗り）、筋状に施されていてもよく、散点状に施されていてもよい。香料を施す方法としては、使用する香料の種類によって適宜選択することができ、例えば香料を水やエタノール等の溶媒に分散させた後、ロールコーター若しくは刷毛などを用いた塗布、スプレー等を用いた噴霧、又は浸漬によって施すことができる。
【００２５】
排泄物の臭いのマスキングと肌トラブルの抑制とを両立する観点から、本発明で用いられる香料の含有量は、吸収体における香料の単位面積当たりの坪量で表して、０．００１５ｍｇ／ｃｍ２以上であることが好ましく、０．０４ｍｇ／ｃｍ２以上であることがより好ましく、０．０６ｍｇ／ｃｍ２以上であることが更に好ましく、そして、２ｍｇ／ｃｍ２以下であることが好ましく、１ｍｇ／ｃｍ２以下であることがより好ましく、０．５ｍｇ／ｃｍ２以下であることが更に好ましい。
【００２６】
本発明の吸収性物品は、本発明の効果を損なわない限りにおいて、上述した香料以外の他の成分を含んでいても良い。他の成分としては、例えば、染料、色顔料、抗菌剤、抗炎症剤、保湿剤、ｐＨ調整剤、耐水化剤等が挙げられ、これらのうち１種を単独で又は２種以上を組み合わせて用いることができる。
【００２７】
また、本発明に係る香料に加えて、排泄物から生じる臭いのマスキングを目的として、バラ香調、ラベンダー香調、ジャスミン香調、イランイラン香調を有する他の香料を含んでいてもよい。他の香料における香気成分としては、例えば、ネロール、ラバンジュロール、ジャスマール、シクロピデン等が挙げられ、これらの１種を単独で又は２種以上を組み合わせて用いることができる。また、天然精油や調合ベースのように、複数の香料によって構成される香料素材が組み合わされたもの（香料組成物）で、溶剤によって希釈されたものも他の香料に含まれる。
【００２８】
以上のとおり、本発明によれば、排泄物から生じる臭いのマスキングが可能であり、且つ肌トラブルの抑制が可能な吸収性物品を提供できる。なお、本発明の吸収性物品は、人体から排出される排泄物（尿、軟便、経血、汗等）の吸収に用いられる物品を広く包含し、生理用ナプキンや使い捨ておむつ、失禁パット、パンティライナー等も包含される。本発明の吸収性物品は、排泄物が肌に直接且つ長時間触れている場合でも、肌トラブルを効果的に抑制できるので、生理用ナプキンとして用いられることが特に効果的である。
【００２９】
以上、本発明をその好ましい実施形態に基づき説明したが、本発明は前記実施形態に制限されない。例えば、本発明の香料は、リパーゼ活性阻害効果を有するものであったが、この効果に加えて、プロテアーゼやウレアーゼ等の他の酵素活性を阻害する効果を有していてもよい。
【実施例】
【００３０】
以下、実施例により本発明を更に詳細に説明する。しかしながら本発明の範囲は、かかる実施例に制限されない。
【００３１】
〔試験例１：皮膚表面の水分量変化、ｐＨ変化及びリパーゼ活性変化の測定〕
実施例での評価に先立ち、生理用ナプキンを着用したときの肌の水分量変化、ｐＨ変化及びリパーゼ活性変化を測定した。詳細には、６ｃｍ四方にカットした綿製のショーツ（これをサンプルＡとする。）、又は６ｃｍ四方にカットした生理用ナプキン（ロリエ（登録商標）スリムガード、花王株式会社製）に疑血を６ｇ吸収させたもの（これをサンプルＢとする。）を用いた。これらのサンプルには、本発明に用いられる香料は施されていなかった。これらのサンプルをそれぞれヒト前腕内側に３時間装着し、装着部位の皮膚表面の水分量変化、ｐＨ変化及びリパーゼ活性変化を以下のように測定した。これらの測定は５回行い、測定値は平均値±標準誤差として、図１（ａ）ないし（ｃ）に示した。ｔ検定は、ｐ＜０．０５を有意とした。
【００３２】
＜皮膚表面の水分量の測定＞
皮膚表面の水分量は、モイスチャーチェッカー（スカラ社製、ＭＹ−７０７Ｓ）を用い、ヒト前腕内側に装着しているサンプルを取り除いた直後のサンプル装着部分における皮膚表面を対象として、皮膚表面の水分量を５回連続測定した。未装着部位の皮膚表面の水分量を基準点（ゼロ点）とし、皮膚表面の水分量の変化を図１（ａ）に示した。
【００３３】
＜皮膚表面のｐＨ変化の測定＞
皮膚表面のｐＨ変化は、ｐＨメータＤ５１（堀場製作所製、プローブ６２６１型）を用い、ヒト前腕内側に精製水を１滴滴下して肌になじませた後、その部分のｐＨを５回連続測定した。未装着部位の皮膚表面のｐＨを基準（ゼロ点）とし、皮膚表面のｐＨ変化を図１（ｂ）に示した。
【００３４】
＜皮膚表面のリパーゼ活性変化の測定＞
皮膚表面のリパーゼ活性変化は、ヒト前腕皮膚表面に３時間装着したあと、その皮膚表面角層をテープで採取し、そのテープを０．１％ＴｒｉｔｏｎＸ−１００溶媒に２時間抽出、超音波破砕後に１０００ｒｐｍで５分間遠心した。その上清をリパーゼ液とし、特開２０１３‐２４９２９３号公報に記載の方法に従って測定した。詳細には、４−メチルウンベリフェロンの産生量を１４２０  Ｍｕｌｔｉｌａｂｅｌ  Ｃｏｕｎｔｅｒ（Ｗａｌｌａｃ社製）を用いて４６０ｎｍの蛍光強度（励起光：３６０ｎｍ）として測定した。結果を図１（ｃ）に示した。
【００３５】
図１（ａ）ないし（ｃ）に示すように、生理用ナプキンに疑血を吸収させた群では、ショーツのみの群と比較して、皮膚表面の水分量が多くなり、皮膚表面のｐＨが高く変化し、リパーゼ活性が高くなった。
【００３６】
〔試験例２：皮脂存在下でのリパーゼ活性阻害効果及び菌活性阻害効果の測定〕
皮脂存在下でのリパーゼ活性阻害効果及び菌活性阻害効果の測定は、以下のように実施した。すなわち、試験例１のサンプルＢをヒト前腕皮膚表面に３時間装着したあと、その皮膚表面の角質層をテープで採取した。このテープを０．１％  ＴｒｉｔｏｎＸ‐１００で２時間浸漬し、超音波破砕後１０００ｒｐｍで５分間遠心した。上清をリパーゼ含有液とし、この上清に図２（ａ）及び（ｂ）に示す各香料及び基質（４−メチルウンベリフェロンオレイン酸エステル）を添加し、皮脂非存在下又は所定量の皮脂存在下で３７℃、２５０ｒｐｍで２時間反応させた。反応後、４−メチルウンベリフェロンの産生量を試験例１と同様に測定した。また、菌活性阻害効果は特開２０１３‐２４９２９３号公報に記載の方法に従って測定した。コントロールよりも低い数値であれば、阻害活性を有していることを示す。結果を図２（ａ）及び（ｂ）に示す。
【００３７】
図２（ａ）及び（ｂ）に示すように、特に、ローズケトン類、炭素数１０以上１２以下のγ‐ラクトン、及び炭素数９以上１２以下のδ‐ラクトンである香料の存在下で、リパーゼ活性阻害効果及び菌活性阻害効果が奏されることが判る。
【００３８】
〔試験例３：ジャスモラクトンの揮発性の測定〕
本試験例では、試験例２においてリパーゼ活性阻害効果及び菌活性阻害効果が確認された香料であるジャスモラクトンについて、その揮発性を測定した。２ｃｍ四方にカットした生理用ナプキン（ロリエ（登録商標）スリムガード、花王株式会社製）の表面シート側にジャスモラクトン２質量％エタノール溶液を３μＬ（ジャスモラクトンとして６０μｇ）滴下したサンプルを用いた。裏面シートは、非透湿性のシート又は透湿性のシートとした。これらのサンプルを、３５℃、６５％ＲＨに設定したチャンバー内に２０分静置した。その後、各サンプルをエタノール１０ｍＬに浸漬し、残存するジャスモラクトンを抽出し、測定サンプルとした。また、比較対照として、２ｃｍ四方にカットした生理用ナプキンにジャスモラクトン２質量％エタノール溶液を３μＬ滴下したあとすぐにエタノール１０ｍＬに浸漬し、残存するジャスモラクトンを抽出したものを対照サンプルとして用いた。これらのサンプルをガスクロマトグラフ装置を用いて、以下の測定条件でジャスモラクトン残存量を検出し、残存率（％）を算出した。結果を表１に示す。
【００３９】
＜装置＞
ガスクロマトグラフ装置（６８９０Ｎ、Ａｇｉｌｅｎｔ社製）。
＜カラム＞
ＤＢ−１７０１（Ａｇｉｌｅｎｔ  Ｊ＆Ｗ）  長さ３０ｍ×内径０．２５ｍｍ、膜厚：１μｍ）
＜測定条件＞
カラム温度：１００℃から１０℃／ｍｉｎで２４０℃まで昇温させ、２４０℃を６分間保持
キャリアガス：ヘリウム
線速度：３３５ｃｍ／ｓｅｃ
圧力モード：コンスタントプレッシャー
注入口温度：２００℃
注入方法：スプリットレス
注入量：１μＬ
検出器：ＦＩＤ
検出器温度：２６０℃
【００４０】
【表１】
2019170734.tif 000002
【００４１】
表１に示すように、ジャスモラクトンは約６割揮発していることが判る。また、裏面シートを非透湿性のシート又は透湿性のシートとした場合でも、ジャスモラクトンの揮発性の差は見られなかった。この理由として、ジャスモラクトンは表面シートに滴下されているので、ジャスモラクトンが表面シート側から優先的に揮発していることが考えられる。
【００４２】
〔実施例１：ジャスモラクトンのリパーゼ活性阻害効果の測定〕
本実施例では、試験例２においてリパーゼ活性阻害効果及び菌活性阻害効果が確認された香料であるジャスモラクトンを用いて、ジャスモラクトンの有無による皮膚表面のリパーゼ阻害活性を測定した。サンプルとして、試験例１におけるサンプルＢと、６ｃｍ四方にカットした生理用ナプキン（ロリエ（登録商標）スリムガード、花王株式会社製）の表面シート側に、ジャスモラクトン２質量％エタノール溶液を３μＬずつ３箇所に滴下した後、疑血を６ｇ吸収させたもの（これをサンプルＣとする。）とを用いた。サンプルＢ及びＣをヒト前腕の皮膚表面に装着し、リパーゼ活性阻害効果を上述の方法で測定した。比較対照として、未装着のヒト前腕皮膚表面のリパーゼ活性の結果を用いた。結果を図３に示す。
【００４３】
図３に示すように、リパーゼ活性阻害効果及び菌活性阻害効果を有するジャスモラクトンを吸収性物品に施すことによって、リパーゼ活性を顕著に阻害できることが判る。
【図１】
2019170734.tif 000003
【図２】
2019170734.tif 000004
【図３】
2019170734.tif 000005